(57)【特許請求の範囲】
【請求項１】
注射器アセンブリであって、
流体を保持するためのチャンバを区画形成する内面を有する円筒状の側壁、開口基端部、および、末端壁であって前記チャンバと流体連通状態の開口部をそれを通して有する末端壁を含む末端部を含むバレルであって、前記側壁は前記基端部に隣接するリブおよび前記基端部に向けて前記リブから延びる軸線方向の長さを有するランプを含み、前記バレルの直径が前記基端部に向けて前記リブから前記ランプに沿って増加する、バレルと、
基端部、末端部、および前記基端部と前記末端部との間に延びる主本体を含む細長いプランジャロッドであって、該プランジャロッドは末端におよび基端に前記チャンバ内で移動可能であり、前記基端部は親指プレスを含み、前記末端部はストッパ係合部を含み、該プランジャロッドはさらに前記親指プレスと前記主本体との間に可撓性突出部を含み、該突出部は前記リブでの前記バレルの直径よりも大きな直径を有し、該プランジャロッドはさらに該プランジャロッドの基端部に配置された狭められた壊れ易い接続部を備える少なくとも１つの壊れ易い部分を含む、プランジャロッドと、
基端部および末端部を有するストッパであって、該ストッパは前記プランジャロッドの前記ストッパ係合部に取り付けられ、該ストッパは予め選択された軸線方向の距離、前記ストッパ係合部に対して末端におよび基端に移動可能であり、該ストッパの該末端部が前記バレルの前記末端壁と接触状態にあるとき、前記突出部は前記バレルの前記リブを越えて末端に進み、そして該注射器アセンブリの再使用を妨げるように前記バレルに前記プランジャロッドをロックすることを許容され、前記ストッパ係合部は、初期の末端に向けられた力が前記プランジャロッドに加えられる前、完全に目に見える視覚的な表示を含む、ストッパと
を備えた、注射器アセンブリ。
【請求項２】
前記狭められた壊れ易い接続部は、２つ以上のポイント接続部を備える、請求項１に記載の注射器アセンブリ。
【請求項３】
前記可撓性突出部の基端側に隣接した支持部をさらに備える、請求項１に記載の注射器アセンブリ。
【請求項４】
前記プランジャロッドの前記主本体は、基端部と末端部とを備え、該末端部は、前記プランジャロッドの前記主本体と前記ストッパ係合部との間に配置されたディスクを含む、請求項１に記載の注射器アセンブリ。
【請求項５】
前記突出部は、末端方向における力が前記プランジャロッドに加えられたとき、基端方向に曲がることにより前記プランジャロッドの末端の動きを容易にする、請求項１に記載の注射器アセンブリ。
【請求項６】
前記バレルを保持する間の、前記プランジャロッドに対する連続的な基端に向けられた力の適用に基づいて、前記ストッパおよび前記プランジャロッドに、前記バレル内で基端方向に一緒に動くことをもたらすように、前記プランジャロッドの前記ストッパ係合部は、前記ストッパに接続されている、請求項１に記載の注射器アセンブリ。
【請求項７】
前記バレルを保持する間の、前記プランジャロッドへの基端に向けられた力の適用の後、前記プランジャロッドへの初期の末端に向けられた力の適用は、前記ストッパに静止したままでいることをもたらし、かつ、前記プランジャに前記バレル内で末端方向に前記予め選択された軸線方向の距離の長さ、動くことをもたらすように、前記プランジャロッドの前記ストッパ係合部は前記ストッパに接続されている、請求項６に記載の注射器アセンブリ。
【請求項８】
前記プランジャロッドへの連続的な末端に向けられた力の適用が、前記ストッパおよび前記プランジャロッドに、前記バレルの前記末端部に前記ストッパが達するまで前記バレル内で末端方向に一緒に動くことをもたらし、それにより、前記バレルにおいて前記リブを越えて前記突出部が末端に動くことを可能にすると共に前記注射器アセンブリの再使用を妨げるように前記バレル内に前記突出部が前記プランジャロッドをロックすることを可能にするように、前記プランジャロッドの前記ストッパ係合部は前記ストッパに接続されている、請求項７に記載の注射器アセンブリ。
【請求項９】
前記突出部が前記リブを末端に超えて進んだ後の、前記プランジャロッドへの基端に向けられた力の適用は、前記プランジャロッドの前記壊れ易い部分に、壊れることをもたらす、請求項１に記載の注射器アセンブリ。
【請求項１０】
前記複数のポイント接続部は、末端方向における前記プランジャロッドへの力の適用に耐え、前記突出部が前記リブを越えて末端に進んだ後の基端方向への力の適用に基づいて壊れるように構成されている、請求項２に記載の注射器アセンブリ。
【請求項１１】
前記プランジャロッドへの連続的な基端に向けられた力の適用は、前記ストッパ係合部に、前記ストッパから分離することをもたらす、請求項１に記載の注射器アセンブリ。
【請求項１２】
前記ストッパは、前記ストッパの前記基端部にあるストッパボスと、基端方向における前記プランジャロッドへの連続的な力の適用に基づいて壊れるように構成された前記プランジャロッドに前記ストッパを接続する壊れ易い連結部とをさらに備える、請求項１に記載の注射器アセンブリ。
【請求項１３】
前記プランジャロッドへの連続的な基端に向けられた力は、前記壊れ易い接続部に壊れることをもたらす、請求項１２に記載の注射器アセンブリ。
【請求項１４】
前記バレルの前記基端部はさらにフランジを備え、前記バレルの前記末端部はさらに前記バレルの前記開口部に取り付けられたニードルカニューレを備える、請求項１に記載の注射器アセンブリ。
【請求項１５】
注射器アセンブリであって、
流体を保持するためのチャンバを区画形成する内面を有する円筒状の側壁、開口基端部、および、末端壁であって前記チャンバと流体連通状態の開口部をそれを通して有する末端壁を含む末端部を含むバレルであって、前記チャンバは、第１内径、該第１内径よりも小さな第２内径を有する前記開口基端部に隣接したロックリブ、前記第１および第２内径よりも大きな第３内径を有する前記ロックリブから基端に位置づけられた拡大直径領域、および、前記ロックリブと前記拡大直径領域との間に延びるランプをさらに有する、バレルと、
細長いプランジャロッドであって、基端部、末端部、該プランジャロッドの該末端部に位置づけられたストッパ係合部、該プランジャロッドの該基端部の親指プレス、該プランジャロッドの該末端部と該基端部との間に延びる主本体部、前記第２内径よりも大きな外径を有する該プランジャロッドから径方向に延びる可撓性環状突出部を有し、該プランジャロッドの基端部に配置された壊れ易い複数のブリッジ部をさらに含む、プランジャロッドと、そして、
基端部および末端部を有するストッパであって、該ストッパは前記プランジャロッドの前記ストッパ係合部に取り付けられ、該ストッパは予め選択された軸線方向の距離、前記ストッパ係合部に対して末端におよび基端に移動可能であり、該ストッパの該末端部が前記バレルの前記末端壁と接触状態にあるとき、前記環状突出部は前記バレルの前記ロックリブを越えて末端に進み、そして該注射器アセンブリの再使用を妨げるように前記バレルに前記プランジャロッドをロックすることを許容され、前記ストッパ係合部は、初期の末端に向けられた力が前記プランジャロッドに加えられる前、完全に目に見える視覚的な表示を含む、ストッパと
を備えた、注射器アセンブリ。
【請求項１６】
前記環状突出部は、前記ロックハブを越えての末端の動きを容易にするようにテーパをつけられている、請求項１５に記載の注射器アセンブリ。
【請求項１７】
前記バレルを保持する間の、前記プランジャロッドへの連続的な基端に向けられた力の適用が、前記ストッパおよび前記プランジャロッドに、前記バレル内で基端方向に一緒に動くことをもたらすように、前記プランジャロッドの前記ストッパ係合部は前記ストッパに接続されている、請求項１５に記載の注射器アセンブリ。
【請求項１８】
前記バレルを保持する間の、前記プランジャロッドへの基端に向けられた力の適用の後の、前記プランジャロッドへの初期の末端に向けられた力の適用が、前記ストッパに静止したままでいることをもたらし、かつ、前記プランジャに前記バレル内で末端方向に前記予め選択された軸線方向の距離の長さ、動くことをもたらすように、前記プランジャロッドの前記ストッパ係合部は前記ストッパに接続されている、請求項１７に記載の注射器アセンブリ。
【請求項１９】
前記プランジャロッドへの連続的な末端に向けられた力の適用が、前記ストッパおよび前記プランジャロッドに、前記バレルの前記末端部に前記ストッパが達するまで前記バレル内で末端方向に一緒に動くことをもたらし、それにより、前記環状突出部に、曲がって前記バレルにおいて前記ロックリブを越えて末端に進むことを許容すると共に前記注射器アセンブリの再使用を妨げるように前記バレル内に前記プランジャロッドをロックすることを許容するように、前記プランジャロッドの前記ストッパ係合部は前記ストッパに接続されている、請求項１８に記載の注射器アセンブリ。
【請求項２０】
前記突出部が前記ロックリブを末端に超えて進んだ後の、前記プランジャロッドへの基端に向けられた力の適用は、前記プランジャロッドの前記少なくとも１つの壊れ易いブリッジ部に、壊れることをもたらす、請求項１９に記載の注射器アセンブリ。
【請求項２１】
前記ロックリブは、前記突出部が前記リブを末端に超えて進んだ後、前記環状突出部の動きを妨げる、請求項１９に記載の注射器アセンブリ。
【請求項２２】
前記ランプは、前記リブを末端に超える前記環状突出部の前進を容易にする、請求項１９に記載の注射器アセンブリ。
【請求項２３】
前記プランジャロッドへの連続的な基端に向けられた力の適用に基づいて、前記ロックリブは前記ストッパの基端の動きを妨げると共に前記ストッパ係合部に前記ストッパから分離することをもたらす、請求項１５に記載の注射器アセンブリ。
【請求項２４】
前記ストッパは、前記ストッパの前記基端部にあるストッパボスと、前記プランジャロッドに前記ストッパを接続する壊れ易い連結部とをさらに備える、請求項１５に記載の注射器アセンブリ。
【請求項２５】
前記プランジャロッドへの連続的な基端に向けられた力の適用に基づいて、前記ロックリブは、前記ストッパの基端の動きを妨げると共に前記壊れ易い連結部が壊れることをもたらす、請求項２４に記載の注射器アセンブリ。
【請求項２６】
前記バレルの前記基端部はさらにフランジを備え、前記バレルの前記末端部はさらに前記バレルの前記開口部に取り付けられたニードルカニューレを備える、請求項１５に記載の注射器アセンブリ。
【請求項２７】
前記可撓性突出部が前記バレルにおいて前記リブを末端に超えて進むことを許容されると共に前記注射器アセンブリの再使用を妨げるように前記バレルに前記プランジャロッドをロックすることを許容されるとき、前記視覚的な表示は目に見えない、請求項１５に記載の注射器アセンブリ。
【請求項２８】
前記バレルに配置されると共に前記ロックリブに位置を合わせられた視覚的な印をさらに備え、前記ストッパの前記末端部が前記バレルの前記末端壁と接触状態にあるとき、前記突出部は、前記プランジャロッドが前記バレルにロックされていることを表すように、前記ロックリブの基端側に隣接して位置づけられているところから、前記視覚的な印の末端側に隣接するところまで動く、請求項１５に記載の注射器アセンブリ。
【請求項２９】
注射器アセンブリであって、
流体を保持するためのチャンバを区画形成する内面を有する円筒状の側壁、開口基端部、および、末端壁であって前記チャンバと流体連通状態の開口部をそれを通して有する末端壁を含む末端部を含むバレルと、
細長いプランジャロッドであって、基端部、末端部、該プランジャロッドの該末端部に配置されたストッパ係合部、該プランジャロッドの該基端部の親指プレス、および、前記プランジャロッドの前記末端部と前記基端部との間に延びる主本体部を有する、プランジャロッドと、
基端部および末端部を有するストッパであって、該ストッパは前記プランジャロッドの前記ストッパ係合部に取り付けられ、該ストッパは前記ストッパ係合部に対して末端におよび基端に移動可能である、ストッパと、
前記ストッパの前記末端部が前記バレルの前記末端壁と接触状態にあり、末端方向の作動力が前記親指プレスに加えられているとき、前記注射器アセンブリの再使用を妨げるように前記バレルに前記プランジャロッドをロックする手段と、
前記プランジャロッドへの基端方向における非作動力の適用に基づいて前記プランジャロッドの少なくとも一部を前記主本体から分離する手段と、
前記プランジャロッドへの十分な基端の力の適用に基づいて該プランジャロッドから前記ストッパを分離する手段と、そして、
前記プランジャロッドが前記バレルにロックされていることを表すインジケータ手段と
を備え、
前記ストッパ係合部は、初期の末端に向けられた力が前記プランジャロッドに加えられる前、完全に目に見える視覚的な表示を含む、
注射器アセンブリ。
【請求項３０】
前記作動力は、前記非作動力よりも小さい、請求項２９に記載の注射器アセンブリ。
【請求項３１】
前記プランジャロッドの少なくとも一部を分離する手段は、前記プランジャロッドの前記基端部に隣接して配置され、前記プランジャロッドが前記バレルにロックされているときに前記プランジャロッドの一部を壊すように実働できる、請求項２９に記載の注射器アセンブリ。
【請求項３２】
前記バレルを保持する間の、前記プランジャロッドへの連続的な基端に向けられた力の適用が、前記ストッパおよび前記プランジャロッドに、前記バレル内で基端方向に一緒に動くことをもたらすように、前記プランジャロッドの前記ストッパ係合部は前記ストッパに接続されている、請求項２９に記載の注射器アセンブリ。
【請求項３３】
前記バレルを保持する間の、前記プランジャロッドへの基端に向けられた力の適用の後の、前記プランジャロッドへの初期の末端に向けられた力の適用が、前記ストッパに静止したままでいることをもたらし、かつ、前記プランジャに前記バレル内で末端方向に動くことをもたらすように、前記プランジャロッドの前記ストッパ係合部は前記ストッパに接続されている、請求項３２に記載の注射器アセンブリ。
【請求項３４】
前記プランジャロッドへの連続的な末端に向けられた力の適用が、前記ストッパおよび前記プランジャロッドに、前記バレルの前記末端部に前記ストッパが達するまで前記バレル内で末端方向に一緒に動くことをもたらし、それにより、前記注射器アセンブリの再使用を妨げるように前記プランジャロッドをロックする前記手段を係合するように、前記プランジャロッドの前記ストッパ係合部は前記ストッパに接続されている、請求項３３に記載の注射器アセンブリ。
【請求項３５】
注射器アセンブリであって、
流体を保持するためのチャンバを区画形成する内面を有する円筒状の側壁、開口基端部、および、末端壁であって前記チャンバと流体連通状態の開口部をそれを通して有する末端壁を含む末端部を含むバレルであって、前記側壁は前記基端部に隣接するリブおよび前記基端部に向けて前記リブから延びる軸線方向の長さを有するランプを含み、前記バレルの直径が前記リブから前記基端部に向けて前記ランプに沿って増加する、バレルと、
基端部、末端部、および前記基端部と前記末端部との間に延びる主本体を含む細長いプランジャロッドであって、該プランジャロッドは末端におよび基端に前記チャンバ内で移動可能であり、前記基端部は親指プレスを含み、前記末端部はストッパ係合部を含み、該プランジャロッドはさらに前記親指プレスと前記主本体との間に可撓性突出部を含み、該突出部は前記リブでの前記バレルの直径よりも大きな直径を有し、該プランジャロッドはさらに該プランジャロッドの基端部に配置された狭められた壊れ易い接続部を備える少なくとも１つの壊れ易い部分を含む、プランジャロッドと、
基端部および末端部を有するストッパであって、該ストッパは前記プランジャロッドの前記ストッパ係合部に取り付けられ、該ストッパの前記末端部が前記バレルの前記末端壁と接触状態にあるとき、前記可撓性突出部は、前記バレル内において前記リブを末端に超えて進むことを許容され、前記注射器アセンブリの再使用を妨げるように前記バレルに前記プランジャロッドをロックすることを許容され、前記ストッパ係合部は、初期の末端に向けられた力が前記プランジャロッドに加えられる前、完全に目に見える視覚的な表示を含む、ストッパと
を備えた、注射器アセンブリ。
【請求項３６】
前記狭められた壊れ易い接続部は、２つ以上のポイント接続部を備える、請求項３５に記載の注射器アセンブリ。
【請求項３７】
前記可撓性突出部の基端側に隣接した支持部をさらに備える、請求項３５に記載の注射器アセンブリ。
【請求項３８】
前記プランジャロッドの前記主本体は、基端部と末端部とを備え、該末端部は、前記プランジャロッドの前記主本体と前記ストッパ係合部との間に配置されたディスクを含む、請求項３５に記載の注射器アセンブリ。
【請求項３９】
前記突出部は、末端方向における力が前記プランジャロッドに加えられたとき、基端方向に曲がることにより前記プランジャロッドの末端の動きを容易にする、請求項３５に記載の注射器アセンブリ。
【請求項４０】
前記注射器アセンブリが初期位置にあるとき、前記ストッパの前記末端部と前記バレルの前記末端壁との間に間隙をさらに備える、請求項３５に記載の注射器アセンブリ。
【請求項４１】
前記バレルを保持する間の、前記プランジャロッドに対する連続的な基端に向けられた力の適用に基づいて、前記ストッパおよび前記プランジャロッドに、前記バレル内で基端方向に一緒に動くことをもたらすように、前記プランジャロッドの前記ストッパ係合部は、前記ストッパに接続されている、請求項４０に記載の注射器アセンブリ。
【請求項４２】
前記プランジャロッドへの連続的な末端に向けられた力の適用が、前記ストッパおよび前記プランジャロッドに、前記バレルの前記末端部に前記ストッパが達するまで前記バレル内で末端方向に一緒に動くことをもたらし、それにより、前記突出部に、前記バレルにおいて前記リブを越えて末端に進むことを可能にすると共に前記注射器アセンブリの再使用を妨げるように前記バレル内に前記プランジャロッドをロックすることを可能にするように、前記プランジャロッドの前記ストッパ係合部は前記ストッパに接続されている、請求項４１に記載の注射器アセンブリ。
【請求項４３】
前記突出部が前記リブを末端に超えて進んだ後の、前記プランジャへの基端に向けられた力の適用は、前記プランジャロッドの前記壊れ易い部分に、壊れることをもたらす、請求項３５に記載の注射器アセンブリ。
【請求項４４】
前記プランジャロッドへの連続的な基端に向けられた力の適用は、前記ストッパ係合部に、前記ストッパから分離することをもたらす、請求項３５に記載の注射器アセンブリ。
【請求項４５】
前記ストッパは、前記ストッパの前記基端部にあるストッパボスと、基端方向における前記プランジャロッドへの連続的な力の適用に基づいて壊れるように構成された前記プランジャロッドに前記ストッパを接続する壊れ易い連結部とをさらに備える、請求項３５に記載の注射器アセンブリ。
【請求項４６】
前記プランジャロッドへの連続的な基端に向けられた力は、前記壊れ易い接続部に壊れることをもたらす、請求項４５に記載の注射器アセンブリ。
【請求項４７】
前記バレルの前記基端部はさらにフランジを備え、前記バレルの前記末端部はさらに前記バレルの前記開口部に取り付けられたニードルカニューレを備える、請求項３５に記載の注射器アセンブリ。
【請求項４８】
前記２つ以上のポイント接続部は、末端方向の前記プランジャロッドへの力の適用に耐え、前記可撓性突出部が前記リブを末端に超えて進んだ後の基端方向の力の適用に基づいて壊れる、ように構成されている、請求項３６に記載の注射器アセンブリ。
【請求項４９】
前記可撓性突出部の基端側に隣接した支持部をさらに含み、前記ポイント接続部は該支持部と前記プランジャロッドの前記親指プレスとの間に配置されている、請求項４８に記載の注射器アセンブリ。
【請求項５０】
前記ポイント接続部は、前記可撓性突出部に隣接した末端部であって第１断面幅を有する末端部と、該第１断面幅よりも長い第２断面幅を有する基端部とを備える、請求項４９に記載の注射器アセンブリ。
【請求項５１】
前記可撓性突出部が前記リブを末端に超えて進んだ後に基端方向に前記プランジャロッドを動かすために必要とされる力は、前記２つ以上のポイント接続部を壊すために必要とされる力を超える、請求項５０に記載の注射器アセンブリ。
【発明の詳細な説明】
【技術分野】
【０００１】
本発明の実施形態は、注射後に再使用を妨げるようにプランジャロッドの末端の動きを制限する、受動的なロック機構を有する注射器アセンブリであって、注射器を受動的に使用不可にするようにストッパおよびプランジャロッドが相対運動を用いて作動され、使用前の注射器の分解を妨げるように取り外し可能に接続されたストッパとプランジャロッドとを含み、注射器の使用または使用不可にされた注射器を表す視覚的指示またはマークを含む、注射器アセンブリに関する。
【背景技術】
【０００２】
滅菌あるいは十分な滅菌がない皮下注射器プロダクトの再使用が麻薬中毒を永続させて、そして伝染病の移動を容易にすると信じられている。静注薬物のユーザーによる注射器の再使用は伝染病の移動をさらに悪化させ、それはそれらがエイズウイルスおよび肝炎のようなある特定のウイルスに関して高リスク群を構成するからである。高リスク汚染は、医療の人員と供給源が不足している国々で同じく存在する。
【０００３】
使用後に動作不能の状態にされ得る注射器はこれらの問題に実行可能な解決法を与える。注射器を使用不可にするようにユーザーが能動的なステップをとることによって使用不可にされ得る様々な注射器が、提案され、商業的に利用可能である。注射器を積極的に使用不可にすることをユーザーに必要としない使い捨ての注射器が、解決法を提供するべく考えられている。自動的にまたは受動的に再使用できないようにされ、例えば費用効果があるようにより少ないパーツを利用することによって製造されることができる注射器を提供することが望ましいだろう。さらに、注射器が使用されているかまたは使用不可であるかどうかを視覚的に表すマークあるいは他のインジケータがまた望ましいだろう。
【発明の概要】
【０００４】
注入サイクルの完了後に作動する注射器アセンブリ用の受動的な使用不可システムが提供される。注射器アセンブリは、注入サイクルの完了の前に、ユーザーが注射器を分解するのを妨げるように取り付けられた、ストッパとプランジャロッドとを組み入れる。本発明の１つ以上の実施形態では、ユーザーが薬剤を充填し、注入し、および／または再構成することができる。
【０００５】
この開示では、デバイスの末端部は患者に最も近い端部であり、デバイスの基端部は患者から離れて医者に最も近い端部であるという取り決めを用いる。
【０００６】
バレル、細長いプランジャロッド、およびストッパを含む注射器アセンブリが提供され、それらは該注射器アセンブリの再使用を妨げるようにバレル内にプランジャロッドを受動的にロックすることをユーザーに可能にする構造およびアセンブリをそれぞれ有する。バレルは、末端部、開口基端部、流体が保持されるチャンバを区画形成する内面を有する円筒状側壁、および端部壁を含む。末端壁の開口部は、流体が、該開口部を通してチャンバから流れることを許容する。１つの実施形態において、バレルは、注射器が使用不可にされているかまたはプランジャがバレル内にロックされているかどうかを表す印またはインジケータを含む。
【０００７】
１つ以上の実施形態では、バレルの側壁の内面は連続的な直径または第１内径を有する。この出願を通じて使われるように、用語「直径」は、任意の横断面形状を有するバレルの壁間の最大距離の長さである。しかし、従来の注射器は、典型的には、円形の断面形状を有する円筒形であることは認識されるだろう。本発明の幾つかの実施形態によれば、バレルは、プランジャロッドの基端の動きを制限するのに適した、その基端部に隣接する、リブ、ロックリブまたは他のそのような障害を含む。１つの実施形態では、リブは、第1直径よりも小さい第２内径を有する。本発明の１つ以上の実施形態は、第１および第２直径よりも大きな第3内径を有する、リブから基端側に配置された拡大直径領域を含む。リブと拡大直径領域との間に位置づけられた軸線方向の長さを有する直径変化領域またはランプは、含まれることができる。直径変化領域またはランプは、基端方向に増加する、変化する内径を有することができる。
【０００８】
本発明の実施形態は、また、伸びたプランジャロッドを含み、該プランジャロッドは基端部、末端部、およびこの基端部と末端部との間の主本体を有する。親指プレスは、また、プランジャロッドの基端部に配置されることができる。幾つかの実施形態では、プランジャロッドは、バレルのチャンバ内で、基端にまたは末端にスライドするかさもなければ動く。
【０００９】
プランジャの末端部は、末端および基端部を有するストッパ係合部を含むことができる。代わりの実施形態は、さらに、プランジャロッドの主本体とストッパ係合部との間、および／または、主本体と（以下に説明される）可撓性突出部との間にプランジャロッドの末端部に配置された任意のディスクを含む。ストッパ係合部はストッパとプランジャロッドがバレル内で基端におよび末端に動くための手段を提供する。１つ以上の実施形態では、ストッパ係合部は、ストッパおよびプランジャロッドが、互いに対して基端におよび末端に動くことを可能にする。特定の実施形態では、ストッパ係合部の末端部は、ストッパを拘束するために、リム、リテーナー、リング、または代わりの手段を含むことができる。ストッパ係合部は、１つ以上の実施形態によれば、また、注射器の使用または注射器が使用不可にされたかどうかを表す、視覚的なインジケータまたは視覚的な表示を含むことができる。
【００１０】
注射器が完全に注入されるまたは「底に突き当たった」とき、プランジャロッドは、注射器アセンブリの再使用を妨げるためにさらにプランジャロッドをバレルにロックするための手段を含むことができる。ここで使われるように、用語「底に突き当たった」は、注射器アセンブリの位置を言及し、そこでは、ストッパがプランジャロッドに取り付けられている間にバレルの末端壁と接触状態にあって、プランジャロッドは末端方向にもはや動くことはできない。ここで用いられるように、用語「作動力」は、ストッパがバレルの末端壁と接触状態にあって末端方向にもはや動くことができないように、注射器を底に突き当てるのに必要とされる力を、または、末端方向にプランジャロッドを動かすのに必要とされる力を意味するだろう。例えば、末端方向における親指プレスへの作動力の適用は、プランジャロッドをロックする手段が、バレルのリブを末端側に超えて動くことを「作動する」またはもたらす。プランジャロッドをロックする手段は、リブでのバレルの内径または第２内径よりも大きな外径を有することができる。本発明の１つ以上の実施形態は、プランジャロッドから径方向に延びる突出部または環状突出部を、プランジャロッドをロックする手段として利用する。幾つかの実施形態では、突出部は、親指プレスと主本体との間に位置づけられ、バレルにプランジャロッドをロックする手段の一例である。本発明の実施形態によれば、突出部は、プランジャロッドに一体に形づくられる。突出部は、１つ以上の実施形態によれば、柔軟性がないかまたは柔軟であることができる。柔軟な突出部を利用している実施形態は、さらにその可撓性突出部に隣接する支持部を含むことができる。
【００１１】
１つの構成では、突出部は、第２内径またはリブで位置を定められたバレルの直径よりも大きな外形を有する。一旦、突出部が直径変化領域を通って、リブを超えて、バレルの中に末端側に動くと、それはリブによってロックされることになり、プランジャロッドは基端方向に動くことが妨げられる。１つの実施形態の突出部は、それがリブを末端方向に超えてより容易に動くことができるようにテーパを付けられているかまたは形づくられる。可撓性突出部を利用する実施形態では、突出部は、力が末端方向にプランジャロッドに加えられるとき、基端方向に曲がることによってプランジャロッドの末端の動きを容易にすることができる。１つの実施形態では、プランジャロッドがリブを超えて末端方向に動かされるとき、可撓性突出部は、また、曲がる。バレルの直径変化領域またはランプは、さらに、プランジャロッドの末端の動きを容易にすることができる。このような実施形態では、可撓性突出部の曲がるための能力および基端方向に動くプランジャロッドの能力は、可撓性突出部がリブを超えて末端に動いた後、制限される。
【００１２】
プランジャロッドは、さらに、プランジャロッドの一部を本体から分離するために、少なくとも１つの壊れ易い部分または他の手段を備えることができる。この構成では、プランジャロッドがロックされた後、ユーザーが注射器アセンブリを再使用しようと試み、またはさもなければ、バレルから基端方向にプランジャを引こうと試みるとき、プランジャロッドは壊れ易い部分で壊れ、バレル内にロックされたプランジャロッドの一部を残す。特定の実施形態では、壊れ易い部分は、突出部と親指プレスとの間に配置される。壊れ易い部分はプランジャロッドの基端部の近くの種々の位置に位置づけられることができることは理解されるだろう。１つの実施形態では、壊れ易い部分は、狭められた壊れ易い接続部または壊れ易いブリッジを備え、プランジャロッドの全寸法よりも少なくとも約５０％小さい寸法を有する。さらに特に、その寸法は、プランジャロッドの直径または幅であることができる。さらに特定の実施形態では、壊れ易い部分は、複数の壊れ易い接続部またはブリッジ部を含み、それは２つ以上のポイント接続部をさらに含むことができる。複数の壊れ易い接続部またはブリッジ部は、末端方向におけるプランジャロッドへの力の適用に耐え、可撓性突出部がリブを末端側に超えて進むまたは注射器が底に突き当たった後の、基端方向における力の適用に基づいて壊れるように、構成される。
【００１３】
特定の実施形態では、用語「非作動力」は、プランジャロッドの一部をその本体から分離するために必要とされる力を含み、そして用語「引出力」は、注射器が底に突き当たったまたはプランジャロッドがリブによってバレルにロックされた後、プランジャロッドを基端方向に動かすために必要とされる力を含む。さらに特定の実施形態では、引出力は、非作動力および作動力よりも大きい。
【００１４】
ストッパは、基端部および末端部を有し、ストッパは、プランジャロッドのストッパ係合部に取り付けられる。幾つかの実施形態では、ストッパは、バレル内で末端におよび基端に動く。１つ以上の実施形態では、ストッパは、また、プランジャロッドのストッパ係合部に対して予め選択された軸線方向の距離にしたがって、末端におよび基端に動き、それにより、注射器アセンブリが底に突き当たったとき、突出部がロック位置へリブを末端側に超えて動くことを許容する。
【００１５】
ストッパは、さらに、ストッパ本体またはストッパの基端部にあるストッパボスを備えることができる。周リップ部が、ストッパ本体の基端部に含まれることができる。壊れ易い連結部は、ストッパをプランジャロッドに接続するために設けられることができ、それはストッパおよび周リップ部を接続することができる。ストッパをプランジャロッドから分離するためのまたはストッパを破壊するための代わりの手段がまた提供されることができる。
【００１６】
１つの実施形態では、ユーザーが注射器アセンブリに吸引するが充填するとき、ストッパは、プランジャロッドと協力して基端方向に動き始め、一方、予め選択された軸線方向の距離を維持する。ユーザーが注射器アセンブリに充填したとき、プランジャロッドのストッパ係合部に配置された任意の視覚的なインジケータまたは表示が目に見える。本発明の１つ以上の実施形態では、ユーザーが注射器アセンブリの内容物を注入するとき、ストッパのアタッチメントとストッパ係合部とはプランジャロッドが末端に予め選択された軸線方向の距離の長さ、動くことを可能にし、一方、ストッパは静止したままである。プランジャロッドが予め選択された軸線方向の距離の長さ、末端に移動した後、ストッパはプランジャロッドと共に末端に動き始める。そのような末端の動きの間、視覚的なインジケータまたは表示が利用されている場合、プランジャロッドのストッパ係合部に配置された視覚的なインジケータまたは表示は、もはやもう目に見えない。視覚的な印が利用される場合、プランジャロッドがロックされた後でさえ、バレルに配置された視覚的な印は目に見え続ける。ここでより完全に説明されるように、印は、注射器が使用不可にされたことを表す、代わりの手段を提供する。
【００１７】
本発明の１つの実施例によれば、ストッパとプランジャロッドとが注射器アセンブリの内容物の注入の間に末端方向に一緒に動くとき、プランジャロッドの全長さは、予め選択された軸線方向の距離まで減少させられる。そういうものとして、ユーザーが完全に注入サイクルを完了したとき、プランジャロッドの突出部がバレルのリブを超えて進むように、注射器アセンブリのストッパとストッパ係合部は取り付けられている。幾つかの実施形態では、一旦、突出部がバレルのリブを越えて進むと、それはバレル内にプランジャロッドをロックし、ユーザーが注射器アセンブリを再使用することを妨げるかまたはバレルからプランジャロッドを引き抜くのを阻止する。一旦、プランジャロッドがバレル内にロックされると、プランジャロッドのストッパ係合部の任意の視覚的なインジケータまたは表示は、もはや目に見えず、注射器が使用不可にされたことを表す。
【００１８】
代わりの実施形態によれば、ストッパの末端部がバレルの末端壁と接触状態にあるとき、可撓性突出部がバレルにおいてリブを末端側に超えて進むのを許容されるように、ストッパとプランジャロッドとは固定関係で接続される。固定関係を有するストッパおよびプランジャロッドを利用する実施形態では、予め選択された軸線方向の距離は零であり、吸引または充填中の基端方向における連続的な力の適用はストッパおよびプランジャロッドに一緒に動くことをもたらす。支給されたまたはパッケージされたときの初期位置では、ストッパは、バレルの末端壁と接触状態になく、バレルの末端部とバレルの末端壁との間には間隙がある。このような実施形態では、ユーザーは、ストッパとバレルの末端壁との間の初期間隙を引き受けるように注射器のバレルを充填することができる。ユーザーは、その後、注射器の内容物を注入する前に、間隙の存在からのバレル内に存在する空気を押し出すことができる。注入およびプランジャロッドへの末端方向における力の適用の間、固定されたストッパおよびプランジャロッドは、ストッパがバレルの末端部に達して突出部がバレルのリブを越えて末端側に進むことを許容されるまで、一緒に動く。
【００１９】
注射器アセンブリは、プランジャロッドの１つ以上の壊れ易い部分を含むことができ、そしてそれは、突出部がバレルのリブを越えて進んだ後に、ユーザーが基端方向にプランジャロッドを動かそうと試みるとき、壊れる。それが底に突き当たった後、ユーザーがプランジャロッドに十分な基端の力を加えるか、またはさもなければ、注射器アセンブリを再使用しようと試みたとき、他の適当な手段が、プランジャロッドの一部を、主本体から分離するために利用されることができる。
【００２０】
本発明の１つの実施形態にしたがって、ユーザーが吸引、注入または底に突き当たる前に注射器アセンブリを分解しようと試みるとき、ストッパ係合部は、ストッパから分離し、バレルの中にストッパを残し、そして分離されたプランジャロッドが取り去られることを可能にするように、ストッパとストッパ係合部とは取り付けられる。幾つかの実施形態では、リブでのバレルの内径または第２内径は、ストッパの外径よりも小さく、それにより、ストッパがリブを越えて基端側に動くことを妨げ、ストッパ係合部に、ストッパから分離することをもたらし、バレルの中にストッパを残す。ストッパの任意の壊れ易い連結部は、吸引、注入または底に突き当たる前に、プランジャロッドに基端方向に連続的に力を加えることにより、ユーザーが注射器アセンブリを分解しようと試みるとき、壊れる。
【図面の簡単な説明】
【００２１】
【図１】本発明の一実施形態にしたがう注射器アセンブリの斜視図を表す。
【図２】本発明の一実施形態にしたがう注射器アセンブリの分解斜視図を表す。
【図３】線３−３に沿った図２に示されるバレルの断面図を示す。
【図４】図３に示されるバレルの一部の拡大図である。
【図５】線５−５に沿った図２に示されるストッパの断面図である。
【図６】線６−６に沿った図２に示されるプランジャロッドの断面図である。
【図７】図１の線７−７に沿った断面図である。
【図８】基端方向に動かされているプランジャロッドを示す図７の説明図である。
【図９】末端方向に動かされているプランジャロッドを示す図８の説明図である。
【図１０】注射器バレルにおけるロック位置でのプランジャロッドを示す図９の説明図である。
【図１１】図１０に示されるアセンブリの基端部の拡大図である。
【図１２】バレルに配された視覚的印を有する注射器アセンブリの一実施形態の斜視図を示す。
【図１３】バレルに配された視覚的インジケータまたは印およびプランジャロッドのストッパ係合部を有する注射器アセンブリの一実施形態の分解斜視図である。
【図１４】図１２の線１４−１４に沿った断面図である。
【図１５】注射器バレルにおけるロック位置でのプランジャロッドを示す図１４の説明図である。
【図１６】図１５に示されるアセンブリの基端部の拡大図である。
【図１７】プランジャロッドが注射器バレルにロックされた後、プランジャロッドの基端部が注射器アセンブリから折られたところを示す図１０の説明図である。
【図１８】基端方向に動かされたプランジャロッドおよびプランジャロッドから分離されたストッパを示す図７の説明図である。
【図１９】本発明の別の実施形態にしたがう注射器アセンブリの分解斜視図である。
【図２０】図１９に示されるプランジャロッドの斜視図である。
【図２１】図１９に示されるストッパの側面図である。
【図２２】図１９に示される注射器アセンブリの線２２−２２に沿った断面図である。
【図２３】基端方向に動かされたプランジャロッドを示す図２２の説明図である。
【図２４】末端方向に動かされたプランジャロッドを示す図２３の説明図である。
【図２５】注射器バレルにおけるロック位置でのプランジャロッドを示す図２４の説明図である。
【図２６】プランジャロッドがバレルにロックされた後、プランジャロッドの基端部が注射器アセンブリから折られたところを示す図２５の説明図である。
【図２７】基端方向に動かされたプランジャロッドおよびプランジャロッドから分離されたストッパを示す図２２の説明図である。
【図２８】本発明の別の実施形態にしたがう注射器アセンブリの分解斜視図である。
【図２９】線２９−２９に沿った図２８に示されるバレルの断面図を示す。
【図３０】図２９に示されるバレルの一部の拡大図である。
【図３１】線３１−３１に沿った図２８に示されるストッパの断面図である。
【図３２】図２８に示されるプランジャロッドの斜視図を表す。
【図３３】線３３−３３に沿った図２８に示されるプランジャロッドの断面図である。
【図３４】図２８に示される注射器アセンブリの線３４−３４に沿った断面図である。
【図３５】基端方向に動かされたプランジャロッドを示す図３４の説明図である。
【図３６】末端方向に動かされたプランジャロッドを示す図３５の説明図である。
【図３７】注射器バレルにおけるロック位置でのプランジャロッドを示す図３６の説明図である。
【図３８】図３７に示されるアセンブリの基端部の拡大図である。
【図３９】プランジャロッドがバレルにロックされた後、プランジャロッドの基端部が注射器アセンブリから折られたところを示す図３７の説明図である。
【図４０】基端方向に動かされたプランジャロッドおよびプランジャロッドから分離されたストッパを示す図３４の説明図である。
【発明を実施するための形態】
【００２２】
本発明のいくつかの典型的な実施形態を説明する前に、本発明は以下の説明において記述されている構成の内容またはプロセスステップに限定されていないことは理解されるべきである。本発明は他の実施形態の能力があり、様々な方法で実施されたり、または実行されたりすることができる。
【００２３】
本発明の１つの態様は、個々の特徴を有する、バレルと、プランジャロッドと、ストッパとを含む注射器アセンブリ、および、注射器アセンブリの再使用を妨げるようにバレル内にプランジャロッドを受動的にロックすることをユーザーに可能にする構成を提供する。
【００２４】
図１は１つ以上の実施形態にしたがう注射器アセンブリ１００を示す。図２に示されるように、注射器アセンブリはバレル１２０、プランジャロッド１４０、およびストッパ１６０を含み、プランジャロッドの末端部１４１にストッパの基端部１６９が取り付けられるように配置されている。接続されたストッパ１６０とプランジャロッド１４０とはバレル１２０の基端部１２９に差し込まれる。
【００２５】
最も良く図３に示されているように、バレル１２０はチャンバ１２８を区画形成する内面１２６を有する円筒状の側壁１１０を有する。１つの実施形態では、チャンバ１２８は、粉末のまたは流体の形態の薬剤を含めることができる注射器アセンブリの内容物を入れる。バレル１２０は開いている基端部１２９、末端部１２１および末端壁１２２を有するように示される。末端壁１２２はチャンバ１２８と流体連通状態の開口部１１１を有する。
【００２６】
バレル１２０の側壁１１０は、注射器の長手方向軸線に沿う連続的な内径を有するチャンバを区画形成する。代わりに、バレルは、基端部から末端部へ直線的に減少する内径を有する側壁を含むことができる。示される構成はただ単に模範的であり、コンポーネンツが、示されているものよりも形状および大きさの点で異なり得ることが理解されるべきである。例えば、バレルは、円筒状の内部形状を維持するが、角柱の外部形状を有することができる。代わりに、バレルの外面と内面との両方が非円形の形状を有することができる。
【００２７】
注射器バレル１２０は、バレル１２０の基端部１２９に取り付けられた周囲フランジ１２４を有するように示されている。バレル１２０は、バレル１２０の末端壁１２２において開口部１１１に取り付けられた、孔１５３を有するニードルカニューレ１５０をさらに含む。当該分野で知られているように、ニードルカニューレ１５０を末端壁１２２に取り付けるために、取付手段１５２が提供される。アセンブリ１００は、また、（示されない）ニードルカニューレを覆う保護キャップを含むことができる。
【００２８】
図４にいっそう明らかに示されるように、バレル１２０は、その基端部１２９に隣接するリブ１２３をさらに含む。リブ１２３の位置でのバレルの内径は、バレルの長さにしたがう他の位置でのバレル１２０の内径よりも小さい。１つ以上の任意のタブまたはディテントがバレル１２０の内径より小さな直径を有するバレルの領域を作るために用いられることができる。特定の実施形態において、リブは、（示されない）バレル１２０の内径の内面１２６またはその一部の全周に沿って形成されるリングを含むことができる。バレル１２０は、また、バレル１２０の（図３に示されるような）基端部１２９でリブ１２３に隣接する直径変化領域１２７を含む。直径変化領域１２７でのバレルの内径は、バレル１２０の（図３に示されるような）末端部１２１から基端部１２９へ増える。示された実施形態において、バレルは、（図３に示されるような）基端部１２９での直径変化領域に隣接する拡大直径領域１２５を含む。拡大直径領域１２５でのバレル１２０の内径は、全直径変化領域１２７のバレルの内径よりも大きい。
【００２９】
バレルはプラスチック、ガラスまたは他の適当な材料から作られることができる。バレルは、さらに、（示されない）任意の投薬量計測印を含む。
【００３０】
さて図５を参照すると、ストッパ１６０は、末端部１６１、基端部１６９、ストッパ本体１６４および、バレルの内面１２６とシールを形成する周縁部１６２を有する。１つ以上の実施形態において、ストッパ１６０の周縁部１６２は、リブ１２３の内面の直径よりも大きな直径を有する。図５に示されるストッパ１６０は、残余の流体の減少と注射器バレルからの流体の排除とを容易にするために、その末端部１６１に任意の細長い先端部１６６を含む。
【００３１】
ストッパ１６０は、その基端部１６９に、ストッパ本体１６４に隣接するテーパ部１６５をさらに有するように示されている。ネック部１６３は、ストッパ１６０の基端部１６９でテーパ部１６５に隣接する。ストッパ本体１６４は、また、内部凹部１６８を含むように示され、それはプランジャロッド１４０のストッパ係合部１４６がストッパ１６０に接続することを可能にする。周囲リム１４７はプランジャロッド１４０にストッパ１６０を保持するのに役立つために与えられることができる。バレルのリブと同じように、ディテントまたはタブがプランジャロッド１４０にストッパ１６０を保持するために使われることができる。
【００３２】
ストッパは、典型的には、プラスチックまたは他の容易に使い捨て可能なおよび／またはリサイクル可能な材料から作られる。ストッパに天然または合成ゴムを取り入れるか、またはストッパで天然または合成ゴムシールを使うことは望ましいだろう。ストッパは多数のシールを含むことができることは理解されるだろう。
【００３３】
さて、図６を参照すると、注射器アセンブリは、基端部１４９、末端部１４１、基端部１４９と末端部１４１との間に延在する主本体１４８を有するプランジャロッド１４０を含む。プランジャロッド１４０は、さらに、プランジャロッド１４０の基端部１４９に親指プレス１４２を含む。示された実施形態において、親指プレス１４２はさらに織目面、書込可能面および／またはラベルを含む。
【００３４】
まだ図６を参照して、プランジャロッド１４０はさらに親指プレス１４２と主本体１４８との間に環状突出部１４４として示された突出部１４４を含む。突出部１４４でのプランジャロッドの外径はリブ１２３でのバレル１２０の内径よりも大きい。本発明の幾つかの実施形態では、突出部１４４は、リブ１２３を超えてバレル１２０の中への突出部の末端移動を容易にするテーパ部１４５を含み、注射器の作動の次の説明で明白になるであろう。少なくとも１つの実施形態において、注射器アセンブリは、（図１０〜１１により明らかに示されているように）ユーザーがバレルにおいてプランジャロッドを底に突き当てるとき、バレルにプランジャロッドをロックするように、突出部１４４が、リブ１２３を超えて末端方向に進むことを可能にするように構成されている。ある特定の実施形態において、ユーザーがロックされているプランジャロッドに十分な基端方向の力を及ぼすとき、主本体から、プランジャロッドの少なくとも一部を分離するために少なくとも１つの壊れ易い接続部またはポイント１４３をプランジャロッド１４０はさらに含む。示された実施形態において、脆弱ポイント１４３は、突出部１４４と親指プレス１４２との間に位置を定められている。示された脆弱接続部またはポイント１４３は典型的であり、永久にプランジャロッドにダメージを与えるかまたはさもなければプランジャロッドの少なくとも一部を主本体から分離するために他の適当な手段が与えられることができることは理解されるであろう。
【００３５】
示された実施形態において、ストッパ１６０は、プランジャロッド１４０のストッパ係合部１４６に接続されているとき、バレル内で末端におよび基端に動くことが許容される。注射器アセンブリの作動の説明および図７への参照でより良く理解されるように、ストッパは、ストッパ係合部に対して、予め設定された軸線方向の距離１３２、末端におよび基端に動くことができる。
【００３６】
代わりの実施形態では、ストッパはプランジャロッドに対して固定される。このような実施形態では、軸線方向の距離はまさに零であり得る。このような実施形態では、注射器は、供給されるように、ストッパとバレルの末端壁との間にギャップがある初期位置にあるであろう。ユーザーが注射器に充填するとき、ストッパおよびプランジャロッドは基端部方向に一緒に動く。ユーザーが注射器の中身を押し出すとき、ストッパおよびプランジャロッドは末端方向に一緒に動き、可撓性突出部はロックハブを越えて動くことを許容される。
【００３７】
プランジャロッドは、プラスチックまたは他の適当な材料から作られることができる。突出部は、また、バレル内にプランジャロッドをロックするためにプラスチックまたはより硬い材料で構成されることができる。
【００３８】
図７において、バレル１２０はチャンバにストッパ１６０およびプランジャロッド１４０を保持し、そこにおいて、ストッパは、バレル１２０の末端壁１２２に突き当たっている、「置かれている」、または当接状態にある。ストッパ１６２の周縁部はバレル１２０の内面１２６とシールを形成する。１つの実施形態では、ストッパ１６０はプランジャロッド１４０のストッパ係合部１４６に接続されている。ストッパ係合部１４６は、ネック部１６３によって、ストッパ本体１６４の凹部１６８に取り外し可能に保持される。
【００３９】
図７において、ストッパ１６０と主本体１４８の末端部との間のギャップは注入サイクルの前に予め設定された軸線方向の距離１３２を区画形成する。少なくとも１つの実施形態では、予め選択された軸線方向の距離１３２を加えてプランジャロッド１４０とストッパとを組み合わせた長さがバレル１２０の末端壁１２２から基端部までのバレル１２０の長さよりも長いので、突出部１４４はリブ１２３の基端側に留まる。突出部１４４とストッパ本体１６４の周縁部１６２との間の距離は第１距離Ｄ１を定める。
【００４０】
図８は、使用中の注射器アセンブリを表し、具体的にいうと、本発明の１つ以上の実施形態にしたがう、吸引または充填ステップを示す。ユーザーが図８に矢印で示される基端方向にプランジャロッド１４０に対して力を加えるとき、プランジャロッド１４０およびストッパ１６０は基端方向に一緒に動き、ストッパ係合部１４６はリム１４７によってストッパ１６０に接続されている。１つ以上の実施形態において、ストッパ１６０とプランジャロッド１４０とが注射器バレルの内面に沿って基端方向に一緒に動く間、予め選択された軸線方向の距離１３２を定める間隙は維持される。所望の量の薬物が注射器に引き込まれると、ユーザーはプランジャロッド１４０への基端方向の力の適用を終える。吸引ステップの間、プランジャロッドおよびストッパ本体は注射器の中に薬剤を引き込むように一緒に基端方向に動き、一方で第１距離Ｄ１を維持する。
【００４１】
図９は、また、使用中の注射器アセンブリを表し、具体的にいうと、注入の間のプランジャロッドへの末端の力の適用を示す。１つの実施形態では、矢印によって示されるように、ユーザーがプランジャロッド１４０に対して末端方向の力を加えるとき、プランジャロッド１４０は、図７における予め選択された軸線方向の距離１３２を定める間隙の長さのために末端方向に動き、一方でストッパ１６０は静止したままである。バレルの内面１２６上にストッパの周縁部１６２によって生み出された摩擦力がストッパ１６０の凹部１６８に入るストッパ係合部１４６によって生み出される摩擦力よりも大きいので、ストッパ１６０は静止したままである。少なくとも１つの実施形態と一貫して、ストッパ係合部が予め選択された軸線方向の距離１３２の末端方向に動かされる長さを有し、凹部の基端部１６９と接触状態に一旦なると、ストッパ１６０およびプランジャロッド１４０は末端方向に連係して動き始める。さらに、ユーザーによって加えられる力は、ストッパ１６０の周縁部１６２とバレルの内面１２６との間の摩擦より大きく、それ故にストッパ１６０はプランジャロッド１４０と一緒に末端方向に動くことを強いられる。１つの実施形態において、プランジャロッドをロックしないで、注射器アセンブリが底に突き当たっていないならば、ユーザーは、吸引流体の一部を排出するかまたは放出するように、吸引された流体の限られた量を注入する、または、末端方向へのプランジャロッドへの限られた力を及ぼすことができる。しかし、図１０に関してさらに説明されるように、ユーザーは注射器バレルの末端壁に対してストッパを突き当てることができ、バレルにプランジャロッドをロックする。
【００４２】
注射器の内容物を押し出すとき、プランジャロッドは図７に示される予め選択された軸線方向の距離１３２の長さ、末端方向に動き、一方、ストッパ本体が静止したままに保たれて、その結果として予め設定された軸線方向の距離１３２を定める間隙を閉じる。注射器の内容物が完全に押し出された後、突出部１４４と周縁部１６２との間の距離は第２距離Ｄ２を定め、そこにおいてＤ２は第１距離Ｄ１と予め選択された軸線方向の距離１３２を定める間隙との間の差である。
【００４３】
図１０は、プランジャロッドがバレルの中にロックされた後の注射器アセンブリの一実施形態を表す。１つ以上の実施形態において、（図９においてまた示されるような）ストッパ１６０の凹部１６８へのストッパ係合部の差し込みは、予め選択された軸線方向の距離１３２を定める間隙を閉じ、突出部１４４が（図１１により明瞭に示されるように）ロックリブ１２３を超えて進むことを可能にする。突出部１４４はリブ１２３でのバレルの内径より大きな外径を有する。したがって、１つ以上の実施形態では、リブ１２３はバレル１２０の中に突出部１４４をロックして、プランジャロッド１４０の基端方向への動きを妨げる。
【００４４】
図１２は、バレル１２０が視覚的な印３００を含む注射器アセンブリ１００を示す。印は、図１６により明瞭に示されるように、リブ１２３と位置が合わせられている。印は、バレルの側壁の上に一体的に形成されることができるか、または側壁の外面に加えられることができる。印は付着して付け加えられるインク、織目面または注射器バレルの周りに固定される別個のピースでつけられることができる。印は側壁の外周の周りにリングを形成するか、あるいは側壁の外周の周りに一定間隔で配置されるタブのかたちであることができる。特定の実施形態では、印は、着色されたストライプである。さらに特定の実施形態では、印は、ユーザーに注射器が使用不可にされているということを知らせるように、１つ以上の文字および／または数字の形のテキスト、幾何学形状、記号、あるいはそれらの結合を含むことができる。
【００４５】
図１３は、ストッパ係合部１４６に配置された視覚的なインジケータまたは表示３１０を有するプランジャロッド１４０を示す。視覚的な印３００と同じように、視覚的なインジケータ３１０はプランジャロッドのストッパ係合部と一体的に形成されるか、またはその外面に加えられることができる。インジケータまたは表示は、付着して付け加えられるインク、織目面またはストッパ係合部に固定される別個のピースでつけられることができる。１つ以上の実施形態では、インジケータまたは表示は、パターン、立体部を含むことができ、またはストッパ係合部の全面を覆うことができる。特定の実施形態では、インジケータは、プランジャロッドの末端部１４１と主本体１４８との間のストッパ係合部１４６の長さに沿って配置される、着色されたストライプである。さらに特定の実施形態では、インジケータは、プランジャロッドのストッパ係合部１４６の外周に沿って配置される着色されたストライプである。なおさらに特定の実施形態では、印は、１つ以上の文字および／または数字の形のテキスト、幾何学形状、記号、あるいはそれらの結合を含むことができる。
【００４６】
図１４により明瞭に示されるように、ストッパ１６０と主本体１４８の末端部との間の間隙は注入サイクルの前に予め選択された軸線方向の距離１３２を定める。間隙があるとき、視覚的なインジケータ３１０は目に見える。視覚的な印３００はバレル１２０の外面上に配置されて、リブ１２３と位置が合わせられる。図８を参照して説明すると、ユーザーが図８において矢印で示される基端方向にプランジャロッド１４０に力を加えるとき、プランジャロッド１４０とストッパ１６０とは基端方向に一緒に動き、一方、ストッパ係合部１４６はリム１４７によってストッパ１６０に接続されている。１つ以上の実施形態では、ストッパ１６０とプランジャロッド１４０とが注射器バレルの内面に沿って基端方向に一緒に動く間、予め選択された軸線方向の距離１３２を定める間隙は維持される。したがって、視覚的なインジケータ３１０は目に見え続ける。
【００４７】
図９を参照して説明すると、注射器の内容物を押し出すとき、図７および１４に示される予め選択された軸線方向の距離１３２の長さ、末端方向に、プランジャロッドは動き、一方、ストッパ本体は静止したままに保たれて、その結果として予め選択された軸線方向の距離１３２を定める間隙を閉じる。ストッパに対する末端方向におけるストッパ係合部の動きは、（図９に示されるように）ストッパ係合部１４６がストッパの凹部１６８の中に動くことを許容する。図１５においてより明瞭に理解され得るように、この相対的な動きはストッパ本体１６４がストッパ係合部を覆って、視覚的なインジケータ３１０の可視性を妨げることを可能にする。
【００４８】
図１５および１６により明瞭に示されるように、バレル１２０に配置されると共にリブ１２３と位置が合わせられた視覚的な印３００は、リブ１２３を超える突出部１４４の前進をまた示す。加えて、（図９にまた示されるような）ストッパ１６０の凹部１６８へのストッパ係合部の差し込みは、同じく、予め選択された軸線方向の距離１３２を定める間隙を閉じ、（図１１および１６により明瞭に示されるように）突出部１４４がリブ１２３を超えて進むことを可能にする。視覚的な印に対する突出部の位置は、プランジャロッドがバレル内にロックされていて注射器アセンブリが使用不可にされているかどうかを示す。プランジャロッドがロックされる前、突出部１４４は、視覚的な印３００に基端側で近い。プランジャロッドが一旦ロックされると、突出部１４４は、視覚的な印３００に末端側で近い。
【００４９】
視覚的な印３００および視覚的なインジケータ３１０の各々は単独でまたは組み合わせて用いられることができることは高く評価されるであろう。
【００５０】
図１７は、プランジャロッド１４０がバレル１２０にロックされた後のアセンブリを示す。基端方向におけるプランジャロッド１４０への力の適用により注射器アセンブリを再使用する試みは、プランジャロッド１４０の一部が、壊れ易い接続部またはポイント１４３で分離することをもたらす。基端方向の力がプランジャロッド１４０に加えられる間、ロックリブ１２３によって突出部に及ぼされる保持力が脆弱ポイント１４３でプランジャロッドを壊すのに必要とされる力よりも大きく、それ故に、ユーザーがリブにより突出部に及ぼされる力を乗り越える前に壊れ易いポイントが壊れるかまたは分離するように、壊れ易い接続部またはポイント１４３は設計されている。
【００５１】
図１８は、ストッパ１６０がストッパ係合部１４６から分離された構成での注射器アセンブリを示す。本発明の１つ以上の実施形態によれば、ストッパ１６０およびストッパ係合部１４６は、使用前にユーザーが注射器アセンブリのパーツを分解するのを妨げるように離れる。さもなければ図５を参照して説明されるように、ストッパ１６０の周縁部１６２はリブ１２３の内面の直径より大きな直径を有する。本発明の少なくとも１つの実施形態と一貫していて、ユーザーが基端方向にプランジャロッド１４０に力を加えるとき、リブ１２３はストッパ１６０の周縁部１６２をロックし、ストッパ係合部１４６のリム１４７はストッパのネック部１６３から外れる。リブ１２３は、基端方向の力がプランジャロッドに及ぼされる間、プランジャロッドのストッパ係合部のリムおよびストッパのネック部によって及ぼされる力または摩擦よりもストッパの周縁部に大きな力を及ぼす。
【００５２】
図１９は、本発明の別の実施形態にしたがう注射器アセンブリ２００の例を示す。図１９に示される実施形態では、アセンブリは、ストッパ２６９の基端部がプランジャロッド２４１の末端部に取り付けられるように配置された、バレル２２０、プランジャロッド２４０、およびストッパ２６０を含む。ストッパ２６０、そして、次にプランジャロッド２４０は、バレル２２９の基端部に挿入される。フランジ２２４は、バレル２２０の基端部２２９に付けられている。バレル２２０は、さらに、孔２５３を有するニードルカニューレ２５０を含み、バレル２２０の末端部２２１の末端壁２２２における開口部に取り付けられる。ニードルカニューレ２５０を末端壁２２２に付けるために、１つ以上の実施形態は、また、アタッチメントハブ２５２を含む。アセンブリは、（示されない）ニードルカニューレを覆う保護キャップを含むことができる。
【００５３】
図３および４にすでに表されたバレルと類似する、図２２に示されるような、バレルは、さらに、バレルの内面の直径よりも小さな直径を有する内面を有する、リブ２２３、ロックリブ、またはバレル内にプランジャロッドをロックする他の手段を含む。
【００５４】
さて図２０を参照すると、プランジャロッド２４０の斜視図が、主本体２４８、末端部２４１、および基端部２４９を有するように示されている。プランジャロッド２４０は、さらに、その基端部に親指プレス２４２を、そして、その末端部にストッパ係合部２４６を含む。プランジャロッド２４０は、親指プレス２４２と主本体２４８との間に環状突出部２４４のかたちでまた突出部を含む。突出部２４４は、バレル２２０の中へのリブ２２３を超えての突出部２４４の末端の動きを容易にするためにテーパ部２４５を含むことができる。幾つかの実施形態では、突出部２４４は、リブ２２３でのバレルの内径よりも大きな外径を有する。少なくとも１つの実施形態では、注射器アセンブリの構成は、ユーザーが（図２５、２６により明瞭に示されるように、かつ、さらに以下で説明されるように）注射器アセンブリを底に突き当てるとき、バレル２２０にプランジャロッド２４０をロックするように、リブ２２３を過ぎて末端方向へ進むことを突出部２４４に可能にする。
【００５５】
さらに示されるプランジャロッド２４０は少なくとも１つの壊れ易いポイント２４３を含む。示された実施形態では、プランジャロッド２４０のもろいポイント２４３は突出部２４４と親指プレス２４２との間に位置を定められが、脆弱ポイントは別の位置にあることがあり得る。ストッパ係合部２４６は、プランジャロッド２４０の末端部２４１に含まれる。示されるように、ストッパ係合部２４６は、同じく、プランジャ凹部とリテイナー２４７を含む。本発明の少なくとも１つの実施形態は、圧入アタッチメントまたはストッパの端部を保持するための他の適当な手段を含む。
【００５６】
さて図２１を参照すると、それは、末端部２６１と基端部２６９とを有するストッパ２６０の一実施形態を示す。少なくとも１つの実施形態によれば、ストッパ２６０は、バレル２２０の内壁とシールを形成する周縁部２６２を含み、（図２２〜２４により明瞭に示されるように）リブ２２３の位置でのバレルの内面の直径よりも大きな直径を有する。示されるように、細長い先端部２６６は、注射器の全内容物を押し出すのを助けるべく、ストッパ２６０の末端部２６１に与えられる。本発明の少なくとも１つの実施形態によれば、ストッパ２２０は、その基端部２６９に周リップ部２６３を有するストッパ本体２６４をさらに含むことができる。さらに、ストッパ２６０は、ストッパ本体２６４をストッパ２６０と接続する、ストッパの壊れ易い接続部２６５を含むことができる。
【００５７】
この構成において、ストッパ２６０およびプランジャロッド２４０は、バレル２２０のチャンバを占め、ストッパはバレルの端部壁に対して突き当てられる。さらに、ストッパ２６０の周縁部２６２はバレル２２０の内面とシールを形成する。ストッパ２６０はプランジャロッド２４０のストッパ係合部２４６に接続される。示されるように、ストッパ係合部２４６のリテーナー２４７は、ストッパの周リップ部２６３を保持する。
【００５８】
図１９〜２７の注射器アセンブリの実施形態は、図１３〜１６を参照して説明されたように、視覚的な印３００、視覚的なインジケータ３１０または両方をまた含むことができる。特定の実施形態では、１つ以上の実施形態のバレル２２０は同じくロックリブ２２３と位置が合わせられる視覚的な印を含むことができる。さらに特定の実施形態では、注射器アセンブリはストッパ本体２６４に配置された視覚的なインジケータを含むことができる。
【００５９】
１つ以上の実施形態によれば、ストッパ２６０と主本体２４８の末端部との間には間隙があり、予め選択された軸線方向の距離２３２を定める。１つ以上の実施形態では、突出部２４４とストッパ２６０の周縁部２６２との間の距離は第１距離を定める。
【００６０】
図２３は、使用中の注射器アセンブリを表し、特に、本発明の1つ以上の実施形態にしたがう吸引または充填ステップ中のプランジャロッドの動きを示す。ユーザーが基端方向にプランジャロッドに力を加えるとき、プランジャロッド２４０およびストッパ２６０は、矢印で表されるように基端方向に一緒に動き、一方、ストッパ係合部２４６はリム２６３によってストッパ２６０に接続されている。この構成で、ストッパ２６０とプランジャロッド２４０とが基端方向に一緒に動く間、予め選択された軸線方向の距離２３２を定める間隙は維持される。予め定められたまたは望ましい量の薬物が注射器の中に吸引されるか引き込まれるまで、ユーザーはプランジャロッドに基端方向の力を加える。吸引ステップの間、プランジャロッドおよびストッパ本体は注射器の中に薬剤を引き込むように一緒に基端方向に動き、一方、第1距離Ｄ１を維持する。
【００６１】
図２４は、本発明の少なくとも１つの実施形態にしたがう、注入ステップ中にプランジャロッドに末端方向の力が加えられるときの注射器アセンブリをまた示す。末端方向への力の適用は間隙を閉じ、図２２に示される予め選択された軸線方向の距離２３２を動き、一方、ストッパ２６０は静止したままに保たれる。少なくとも１つの実施形態と一貫していて、一旦、ストッパ係合部２４６が予め選択された軸線方向の距離２３２、末端方向に動き、ストッパの脆弱接続部２６５と接触状態にあるとき、プンジャロッド２４０は末端方向に連係して動き始める。
【００６２】
注射器の内容物を押し出すとき、ストッパ本体が静止したままでいる間に、プランジャロッドは予め選択された軸線方向の距離２３２の長さ、末端方向に動く。注射器の内容物が完全に押し出される間および後、突出部２４４と周縁部２６２との間の距離は第２距離 Ｄ２を定め、Ｄ２は第１距離Ｄ１と予め選択された軸線方向の距離２３２との間の差である。
【００６３】
１つの実施形態では、ユーザーは、注射器アセンブリが底に突き当たらない条件で、プランジャロッドをロックすることなしに、限られた量の吸引された流体を注入し、または、吸引された流体の幾分をどっと流すか押し出すように末端方向にプランジャロッドに限られた力を及ぼす。しかし、以下にさらに説明されるように、ユーザーは、典型的に、バレルの末端壁にストッパを突き当てることによって、注射器の内容物の全てを実質的に押し出すだろう。
【００６４】
さて図２５を参照すると、それはプランジャロッド２４０がバレル２２０内にロックされた後の注射器アセンブリを表し、（図２４にまた示されるように）ストッパ２６０のストッパの壊れ易い接続部２６５に対するストッパ係合部２４６の末端方向の動きは、予め選択された軸線方向の距離を定める間隙を閉じると共に突出部２４４がリブ２２３を超えて進むことを可能にし、それにより、バレル２２０の内側にプランジャロッド２４０をロックし、注射器アセンブリの再使用を妨げる。
【００６５】
さて、図２６を参照すると、プランジャロッド２４０がバレル２２０内にロックされた後、注射器アセンブリを再使用しようと、ユーザーがプランジャロッド２４０に基端方向の力を加えることによって試みている構成に注射器アセンブリが示されている。プランジャロッドに対する十分な基端方向の力の適用は、突出部２４４およびリブの保持力が壊れ易いポイントまたは接続部の破断荷重を超えるので、プランジャロッド２４０の一部に、壊れ易い接続部またはポイント２４３で分離することをもたらす。
【００６６】
図２７は、基端方向の力がプランジャロッドに加えられて、ストッパがバレルの基端部に動いた後の構成における注射器アセンブリを示す。図２７に示されるように、ストッパ２６０は、プランジャロッドのストッパ係合部２４６から分離されている。ストッパの壊れ易い接続部２６５は、ユーザーが注射器アセンブリのパーツを分解することを妨げるように、壊れる。さもなければ、ここで説明されるように、ストッパ２６２の周縁部は、リブ２２３の位置でのバレルの内面の内径よりも大きな外形を有する。本発明の少なくとも１つの実施形態と一貫して、ユーザーが基端方向にプランジャロッド２４０に力を加えるとき、バレル２２０のリブ２２３は、ストッパ２６０の周縁部２６２をロックし、ストッパの壊れ易い接続部２６５は壊れ、ストッパ本体２６４をストッパ２６０から分離する。理論によって制限されないで、ストッパの壊れ易い接続部を壊すために必要とされる力はストッパの周縁部に加えられる力よりも小さいことが信じられる。
【００６７】
図２８は、本発明の別の実施形態にしたがう注射器アセンブリ４００の例を示す。図２８に示される実施形態では、アセンブリは、ストッパ４６９の基端部がプランジャロッド４４１の末端部に取り付けられるように構成された、バレル４２０、プランジャロッド４４０、およびストッパ４６０を含む。ストッパ４６０、次にプランジャロッド４４０が、バレル４２９の基端部に挿入される。バレルは、バレル４２０の基端部４２９に取り付けられたフランジ４２４、および、バレル４２０の末端部４２１での末端壁４２２の開口部に取り付けられる孔４５３を有するニードルカニューレ４５０を含む。１つ以上の実施形態は、また、ニードルカニューレ４５０を末端壁４４２に付けるためにアタッチメントハブ４５２を含む。
【００６８】
図２９により明瞭に示されるようなバレルは、さらに、チャンバ４２８を区画形成する内面４２６を有する円筒状側壁４１０を含む。図３０により明瞭に示されるように、バレルは、バレル内にプランジャロッドをロックするために、さらにリブ４２３、ロックリブまたは他の手段を含み、バレルの内面の直径よりも小さな直径を有する内面を有する。リブ４２３の末端部は、さらにバレル４２１の末端部に面する末端部分４１２を含む。リブ４２３およびリブの末端部分４１２が異なった形状と構成とを有することができることは理解されるであろう。ランプ４２７は、リブ４２３の基端側に隣接して配置されていて、リブから開口基端部まで増加する直径を有する。拡大直径領域４２５は、ランプ４２７の基端側に隣接して配置される。拡大直径領域４２５は、バレル４２６の内面と同じまたはそれよりも大きい直径を有することができる。
【００６９】
さて図３１を参照すると、それは末端部４６１および基端部４６９を有するストッパ４６０の一実施形態を示す。少なくとも１つの実施形態によれば、ストッパ４６０は、バレル４２６の内面とシールを形成するシール縁部４６２を含み、（図２９および図３０により明瞭に示されるように）リブ４２３の位置でのバレルの内面の直径よりも大きな直径を有する。ストッパ４６０は、本発明の少なくとも１つの実施形態によれば、さらに、内部凹部４６８とその基端部に配置されたネック部４６３とを定めるストッパ本体４６４を含むことができる。１つ以上の実施形態によれば、ストッパはエラストマーまたは塑性材料から形成されることができる。ストッパは、また、当該技術分野で他の周知の材料から作られることができる。
【００７０】
さて図３２を参照すると、プランジャロッド４４０の斜視図が主本体４４８、末端部４４１および基端部４４９を有するように示されている。プランジャロッド４４０は、さらに、その基端部に親指プレス４４２と、その末端部にストッパ係合部４４６とを含む。プランジャロッド４４０は、親指プレス４４２と主本体４４８との間の可撓性突出部４４４と、可撓性突出部の基端側に隣接する支持部４４５とをまた含み、それは使用中、プランジャの使用および注射器４００に対する付加的な安定性を提供する。幾つかの実施形態では、可撓性突出部４４４は、リブ４２３でのバレルの内径よりも大きな外径を有する。少なくとも１つの実施形態では、注射器アセンブリの構成は、ユーザーが（図３７および図３８により明瞭に示されるように、かつ、以下でさらに説明されるように）注射器アセンブリを底に突き当てるとき、可撓性突出部４４４が、リブ４２３を末端方向に超えて進み、バレル４２０にプランジャロッド４４０をロックすることを許容する。プランジャロッドは、さらに、主本体４４８の末端部および基端部に配置された任意の１対のディスク４３０、４３１を含むことができる。ディスク４３０、４３１は、付加的な安定性を提供し、バレルの形状に応じて、代わりの形状を有することができる。
【００７１】
図３３に示されるように、プランジャロッド４４０は、さらに、支持部４４５に隣接する複数の壊れ易い接続部またはブリッジ部４４３を含む。示される実施形態では、プランジャロッド４４０の壊れ易い複数の接続部４４３は、支持部４４５と親指プレス４４２との間に配置されるが、壊れ易い接続部は別の位置にあることができる。
【００７２】
プランジャロッド４４１の末端部は、さらに、ストッパ係合部４４６を含む。示されるように、ストッパ係合部４４６は、また、ストッパ４６０のネック部４６３を保持するために、保持リング４４７をまた含む。本発明の少なくとも１つの実施形態は、ストッパの端部を保持するために、圧入アタッチメントまたは他の適当な手段を含む。
【００７３】
組み立てられるとき、ストッパ４６０はプランジャロッド４４０のストッパ係合部４４６に接続される。図３４に示された実施形態では、ストッパ４６０およびプランジャロッド４４０は、ストッパ面の末端部４６１がバレル４２２の末端壁に対して位置づけられた状態で、バレル４２０のチャンバを占めることができる。さらに、ストッパ４６０のシール縁部４６２は、バレル４２０の内面とシールを形成する。示されるように、ストッパ係合部４４６の保持リング４４７は、ストッパ４６０を保持する。図４０を参照してより完全に説明されるように、保持リング４４７とストッパ係合部４４６との間の接続部は壊れ易いであろう。
【００７４】
注射器アセンブリ４００の実施形態は、また、図１３〜１６を参照して説明されたように、視覚的な印を含むことができる。特定の実施形態では、１つ以上の実施形態のバレル４２０はまたロックリブ４２３と位置が合わせられた視覚的な印を含むことができる。さらに特定の実施形態では、注射器アセンブリは、ストッパ本体４６４に配置された視覚的なインジケータを含むことができる。
【００７５】
さて、図３４〜３５を参照すると、ストッパ４６０と主本体４４８の末端部との間に区画形成されるスペースは、予め選択された軸線方向の距離４３２を定める。１つ以上の実施形態では、可撓性突出部４４４とストッパ４６０のシール縁部４６２との間の距離は第１距離Ｄを定める。
【００７６】
吸引または充填ステップ、注入ステップ、およびロックステップは、図３５〜３８に示される。図７〜１１、１４〜１６および２２〜２４の実施形態と同様に、ユーザーが基端方向にプランジャロッドに力を加えるとき、矢印によって表されているように、ネック部４６３および保持リング４４７によってつなげられたプランジャロッド４４０およびストッパ４６０は、基端方向に一緒に動く。図３５に示されるように、ストッパ４６０およびプランジャロッド４４０が基端方向に一緒に動くとき、予め選択された軸線方向の距離４３２と第１距離Ｄｌを定めるスペースは維持される。図３６は、末端方向の力が注入ステップの間にプランジャロッド４４０に加えられるときの注射器アセンブリ４００を示す。この力は、プランジャロッド４４０が、ストッパ４６０が静止したままに保たれる間に、図３４に示される予め選択された軸線方向の距離４３２、動くことをもたらす。プランジャロッド４４０が内部凹部４６８の中に入るので、これはプランジャロッド４４０とストッパ４６０との間のスペースを閉じる。プランジャロッドへの末端方向の連続的な力の適用は、ストッパ４６０およびプランジャロッド４４０に、末端方向に動くことをもたらす。
【００７７】
注射器の内容物が押し出され始めて押し出される間および完全に押し出された後、柔軟な突出部４４４とシール縁部４６２との間の距離は、第２距離Ｄ２を定め、Ｄ２は第１距離Ｄ１とスペースを定める予め選択された軸線方向の距離４３２との差である。
【００７８】
さもなければここで説明されるように、注射器アセンブリ４００のユーザーは、注射器アセンブリが底に突き当たらない条件で、プランジャロッドをロックすることなしに、限られた量の吸引された流体を注入し、または、吸引された流体の幾分をどっと流すか押し出すように末端方向にプランジャロッドに限られた力を及ぼすことができる。
【００７９】
さて図３７〜３８を参照すると、それはプランジャロッド４４０がバレル４２０の中にロックされた後の注射器アセンブリを表し、ストッパ４６０に対するストッパ係合部４４６の末端方向の動きは予め選択された軸線方向の距離を定める間隙を閉じ、可撓性突出部４４４がリブ４２３を超えて進むことを許容し、それによりバレル４２０の中にプランジャロッド４４０をロックして、注射器アセンブリの再使用を妨げる。
【００８０】
１つ以上の実施形態によれば、可撓性突出部４４４は、注射器アセンブリの標準的な使用の間、プランジャロッドが底に突き当たることを許容する。特に、可撓性突出部は、それがバレルのリブ４２３の狭められた直径を超えて動くように、曲がる。１つ以上の実施形態では、突出部４４４が、リブ４２３を超えて末端方向に動くとき、力のわずかな増加がプランジャロッドに適用されることができる。示される実施形態によれば、プランジャロッドに適用される力のこのわずかな増加は、注射器の標準的な使用の間に、ユーザーに知覚できない。さらに、バレルのランプ４２７は、リブ４２３を超える可撓性突出部４４４の動きを容易にする。可撓性突出部４４４がリブ４２３を超えて末端方向に動いた後、リブの末端部４１２は基端方向における可撓性突出部４４４の動きを制限する。ここで定められるような、作動力が、プランジャロッドを引くために必要とされる力より小さいと信じられる。
【００８１】
さて図３９を参照すると、バレル４２０内にプランジャロッド４４０がロックされた後、プランジャロッド４４０に基端方向に、ここで定められるように引出力を加えることによって注射器アセンブリを再使用することをユーザーが試みている構成に注射器アセンブリ４００は示されている。プランジャロッドに対する十分な基端方向の力の適用は、引出力はプランジャロッドの一部をその本体から分離するまたは複数の壊れ易い接続部またはブリッジ部を壊すのに必要とされる非作動力を超えるので、プランジャロッド４４０の一部に、複数の壊れ易い接続部４４３で分離することをもたらす。
【００８２】
図４０は、基端方向の力がプランジャロッドに加えられてストッパがバレルの基端部に動かされた後の構成における注射器アセンブリ４００を示す。さもなければここで説明されるように、ストッパのシール縁部４６２は、リブ４２３の位置でのバレルの内面の内径よりも大きな外径を有し、それ故に、基端方向における力の適用はストッパ４６０に、プランジャロッドのストッパ係合部４４６から分離することをもたらす。
【００８３】
１つ以上の実施形態によれば、注射器バレルは、注射器アセンブリに識別情報を含むことができる。このような情報は、注射器アセンブリの内容物に関する識別情報または対象とする容器に関する情報のうちの１つ以上を含むことができるが、それらに限定されない。
【００８４】
この明細書を通しての「１つの実施形態」、「ある特定の実施形態」、「１つ以上の実施形態」、または「一実施形態」への参照は、実施形態と関連して説明される、特定の特徴、構造、材料、または特性が本発明の少なくとも１つの実施形態に含まれることを意味する。したがって、この明細書を通しての様々な箇所での「１つ以上の実施形態での」、「ある特定の実施形態での」、「１つの実施形態での」、または「一実施形態での」のようなフレーズの出現は、本発明の同じ実施形態を参照するとは限らない。さらに、特定の特徴、構造、材料、または特性は、１つ以上の実施形態において任意の適当な方法で組み合わせられることができる。
【００８５】
ここで、本発明は特定の実施形態を参照して説明されたけれども、これらの実施形態が本発明の原理と応用の単なる説明であることは理解されるべきである。種々の変更や変形が本発明の精神や範囲から逸脱することなしに本発明の方法と装置になされ得ることは当業者には明白であるだろう。したがって、本発明が添付された特許請求の範囲とそれらの等価物との範囲内にある変更と変形を含むことは意図される。
【図１】
0005462248.tif 000002
【図２】
0005462248.tif 000003
【図３】
0005462248.tif 000004
【図４】
0005462248.tif 000005
【図５】
0005462248.tif 000006
【図６】
0005462248.tif 000007
【図７】
0005462248.tif 000008
【図８】
0005462248.tif 000009
【図９】
0005462248.tif 000010
【図１０】
0005462248.tif 000011
【図１１】
0005462248.tif 000012
【図１２】
0005462248.tif 000013
【図１３】
0005462248.tif 000014
【図１４】
0005462248.tif 000015
【図１５】
0005462248.tif 000016
【図１６】
0005462248.tif 000017
【図１７】
0005462248.tif 000018
【図１８】
0005462248.tif 000019
【図１９】
0005462248.tif 000020
【図２０】
0005462248.tif 000021
【図２１】
0005462248.tif 000022
【図２２】
0005462248.tif 000023
【図２３】
0005462248.tif 000024
【図２４】
0005462248.tif 000025
【図２５】
0005462248.tif 000026
【図２６】
0005462248.tif 000027
【図２７】
0005462248.tif 000028
【図２８】
0005462248.tif 000029
【図２９】
0005462248.tif 000030
【図３０】
0005462248.tif 000031
【図３１】
0005462248.tif 000032
【図３２】
0005462248.tif 000033
【図３３】
0005462248.tif 000034
【図３４】
0005462248.tif 000035
【図３５】
0005462248.tif 000036
【図３６】
0005462248.tif 000037
【図３７】
0005462248.tif 000038
【図３８】
0005462248.tif 000039
【図３９】
0005462248.tif 000040
【図４０】
0005462248.tif 000041